(57)【要約】      （修正有）【課題】天然木の極薄突板の片面に、接着材層を介して補強紙を貼り合わせて形成した突板積層シートの、需要の拡大に繋がる新たな利用方法を提供する。【解決手段】天然木の極薄突板１の片面に、接着材層を介して補強紙２を貼り合わせて突板積層シートを形成し、それを用いて、熨斗袋１０、ブックカバー、おしな書き、カレンダ、お札入れなどの文具品を作製する。従来の天然の突板に比べて強度的に丈夫なものであるので、熨斗袋１０の場合、結婚時などの祝賀用のものであれば、記念の品として、思い出の品として長く残すことができる。また、お札入れの場合、生地が本物の天然木であるので、重厚で高級感のあるものとなる。【選択図】図１
0003136369.tif 000002
【実用新案登録請求の範囲】
【請求項１】
天然木の極薄突板の片面に、接着材層を介して補強紙を貼り合わせてなる突板積層シートで形成した熨斗袋。
【請求項２】
天然木の極薄突板の片面に、接着材層を介して補強紙を貼り合わせてなる突板積層シートで形成したお札入れ。
【考案の詳細な説明】
【技術分野】
【０００１】
本考案は、天然木の極薄突板の片面に、接着材層を介して補強紙を貼り合わせた突板積層シートに係り、詳しくは、その利用形態の提案に関するものである。
【背景技術】
【０００２】
建築物の内装や家具の化粧材には、化学合成シートやメラミン化粧板、人口木材のシートが多用されている。
【０００３】
しかし、これらは見かけ上の、言わば模造品であって、高級感がなく、すぐに飽きがくる。消費者は、他の条件が同じであるならば、少々高価になっても、本物を求める傾向にある。それは、例えば、今挙げた装飾材ならなおさらのことである。
【０００４】
そのような装飾材の本物志向、天然志向の消費者に対して、天然木を用いた装飾材が知られている。すなわち「突板」である。
【０００５】
突板は天然木の角材を機械で薄く切り出したものであり、その切り出した厚さは、一般に、０．１５ｍｍ〜１．２ｍｍ位のものである。この内、０．５ｍｍ以下のものを薄単板、０．６ｍｍ以上のものを厚単板という。一般に家具、キャビネット、建築物の内装用の装飾表面材に多く使われるところから化粧単板とも呼ばれ、この方面での利用が多い。
【０００６】
突板は天然木そのもので、今述べたように、非常に薄いものであるので、外見上は上記消費者の本物志向、天然志向に沿うものではあるが、折り曲げたりすると、割れたり、特に折り曲げる方向が木の繊維の方向に沿う場合は、裂けたりもして大きく破断してしまうことがある。
【０００７】
このように、突板そのものは強度上の難点があるので、この難点を克服したものとして、突板の片面を補強紙で補強した構造の「突板積層シート」なるものが開発されている。
【０００８】
このような突板積層シートは、例えば、下記の公知文献（特許文献１）に開示されている。この公知文献では天然木の突板に酢酸ビニル系の接着材層を介し、補強紙として和紙を接着したものが開示されている。
【０００９】
さらに、この例では、その補強用の和紙の側にインクジェット受容層を形成して、市販のカラープリンタ装置で印刷可能とし、天然木の基材に、人工的な装飾を併せ持つことのできる突板積層シートが開示されている。
【００１０】
突板積層シートは、今述べたように、片面が補強紙で補強されているので、突板そのもののシートに比べて割れなどが生じるおそれが格段に少なく、かつ、柔軟性があって加工が容易である、という特徴を有する。
【特許文献１】特開２００６−１８７９２６号公報
【考案の開示】
【考案が解決しようとする課題】
【００１１】
しかしながら、そのように補強された突板積層シートであるにもかかわらず、その強度上の利点や加工の容易さなどの利点を充分に生かすことなく、相変わらず、従来のように被装飾体に貼り付けて、そのものの外見の装飾に寄与するだけの利用しかなされていない、というのが現状である。
【００１２】
そこで、この考案は、突板積層シートの、単なる装飾のための利用だけでない、その高強度、柔軟性、加工の容易さ、といった利点を生かした、突板積層シートそのものから成る物品を提案するものである。
【課題を解決するための手段】
【００１３】
上記課題を解決するために、本考案は、上記のようにして形成した突板積層シートを用いた熨斗袋、ブックカバー、おしな書き、カレンダ、お札入れなどの文具品を提案するものである。
【考案の効果】
【００１４】
本考案は、天然木である突板が補強された突板積層シートの利用を、今までそれが利用されていなかった物品へ広げたので、その物品について、天然嗜好、本物嗜好を求める消費者の需要を大いに高めるものとなる。
【００１５】
そして、突板の、このような利用形態が広まることにより、市場価格の低い、柱適寸下の小径木や曲がり材、短材など、現在では未利用で林地に放置されている間伐材を有効に利用できるので、環境保全に寄与する、という利点もある。
【考案を実施するための最良の形態】
【００１６】
以下、本考案の実施の形態を、図面を参照して説明する。図１〜図５は、いずれも、突板積層シートを用いて作製した物品である。
【００１７】
先ず、基材となる突板積層シートは、背景技術の項でも述べたように、突板の片方の面に接着材で補強紙を貼り付けたものである。その突板として、本実施形態では、厚さ０．４ｍｍのスギの間伐材の突板を用いた。この突板の原木、厚さなどの選定は無論任意である。
【００１８】
図１は、そのようにして形成したスギの突板積層シートを畳んで作製した熨斗袋１０である。図中、符号１を付した部分は突板積層シートの上記突板の部分、符号２を付した部分は補強紙の部分である。この熨斗袋１０にあっては、補強紙２として不織布を用いた。このような本実施形態の熨斗袋１０は、従来の無地の紙の熨斗袋や、紙に木調の柄を印刷しただけの模造品に比べ、生地が本物であるので重厚で高級な雰囲気を醸し出す。
【００１９】
また、従来の天然の突板に比べて強度的に丈夫なものであるので、結婚時などの祝賀用のものであれば、記念の品として、思い出の品として長く残すことができる。
【００２０】
同じく、図２は、上記のようにして形成した突板積層シートで作製したブックカバー２０である。図中、符号１１を付した部分は突板積層シートの上記突板の部分、その裏の符号１２を付した部分が補強紙の部分である。このブックカバー２０にあっては、補強紙１２として和紙を用いた。このようなブックカバー２０は、天然木で形成されているが故、外観、手触りとも重厚な雰囲気を醸し出し、「読書」という知的行為を補佐する物品に相応しい。強度上も、文庫本のような軽量で嵩低いものであるならば、十分、長期の使用に耐えうるものである。なお、図２中、符号１３を付したものは書籍である。
【００２１】
図３は、上記のようにして形成した突板積層シートの「おしな書き３０」である。図中、符号２１を付した部分は突板積層シートの上記突板の部分、その裏の符号２２を付した部分が補強紙の部分である。このおしな書き３０にあっては、補強紙２２として不織布を用いた。このような本実施形態の「おしな書き３０」は、最近、都会にも多数出店されるようになった田舎風の居酒屋などで、屋内の木製のテーブルなどと相まって、癒しの雰囲気を醸し出すものとなる。強度的にも丈夫であるので、突板そのもので形成された「おしな書き」のように簡単に割れたり破れたりせず、このおしな書き３０の上に飲み物をこぼしても、水洗いができ、乾燥させれば再び使用できるので、長期の使用にも耐えることができる。
【００２２】
図４は、上記のようにして形成した突板積層シートのカレンダ４０である。図中、符号３１を付した部分は突板積層シートの上記突板の部分、その裏の符号３２を付した部分が補強紙の部分である。このカレンダ４０にあっては、補強紙３２とし不織布を用いた。このようなカレンダ４０は、従来の紙のカレンダに比べ、生地が本物の天然木であるので、柔らかい雰囲気を醸し出し、単に時を告げるだけの無味乾燥な役割に止まらず、室内を装飾する役割も果たす。強度的に丈夫であるので、突板そのもので形成されたカレンダのように簡単に破れたりしない。
【００２３】
図５は、上記の突板積層シートで作製したお札入れ５０である。図中、符号４１を付した部分は突板積層シートの上記突板の部分、その裏の符号４２を付した部分が補強紙の部分である。このお札入れ５０にあっては、補強紙４２として和紙を用いた。このようなお札入れ５０は、従来のような、生地に木調の柄を印刷しただけのものに比べ、生地が本物の天然木であるので、お札入れに相応しく、重厚で高級感のあるものとなる。
【００２４】
以上のように、本考案で提唱した突板積層シートの文具品は、従来の室内の内装や家具の装飾などの付随的、静的な利用ではなく、特に、ブックカバーやお札入れなどはファッション性を有し、消費者がそれを身に着けて移動するので、突板積層シートの主体的、動的な利用に広がり、人々の消費性向を大いに高めるものとなる。
【産業上の利用可能性】
【００２５】
この考案は、突板積層シートの文具品への利用を提唱したものであるが、これら以外にも、広く日用品に適用可能である。特に、装飾が関わるようなものに適している。
【図面の簡単な説明】
【００２６】
【図１】突板積層シートで作製された熨斗袋の図である。
【図２】突板積層シートで作製されたブックカバーの図である。
【図３】突板積層シートで作製されたおしな書きの図である。
【図４】突板積層シートで作製されたカレンダの図である。
【図５】突板積層シートで作製されたお札入れの図である。
【符号の説明】
【００２７】
１、１１、２１、３１、４１    突板
２、１２、２２、３２、４２    補強紙
１０    熨斗袋
１３    書籍
２０    ブックカバー
３０    おしな書き
４０    カレンダ
５０    お札入れ
【図１】
0003136369.tif 000003
【図２】
0003136369.tif 000004
【図３】
0003136369.tif 000005
【図４】
0003136369.tif 000006
【図５】
0003136369.tif 000007